【事件の表示】
　特願２０１２−５１５２０３「無線電力を輸送するためのデバイスおよびその動作方法」拒絶査定不服審判事件〔平成２２年１２月１６日国際公開、ＷＯ２０１０／１４４８８５、平成２４年１１月２９日国内公表、特表２０１２−５３０４８２〕について、次のとおり審決する。
【結　論】
　本件審判の請求は、成り立たない。
【理　由】
１．手続の経緯
　本願は、２０１０年６月１１日（パリ条約に基づく優先権主張外国庁受理、２００９年６月１２日：米国、２００９年１１月１７日：米国、２０１０年５月１４日：米国）を国際出願日とする出願であって、平成２５年４月１８日付けで拒絶の理由が通知され（発送日：平成２５年４月２３日）、平成２５年８月２２日付けで意見書及び手続補正書が提出されたが、平成２６年３月１４日付けで拒絶査定がなされ（発送日：平成２６年３月２４日）、これに対し、平成２６年７月２４日に手続補正書の提出と共に拒絶査定不服審判の請求がなされ、当審により平成２７年４月２０日付けで拒絶の理由が通知され（発送日：平成２７年４月２７日）、平成２７年７月２４日付けで意見書及び手続補正書が提出され、平成２７年１２月２２日付けで拒絶の理由が通知され（発送日：平成２８年１月４日）、平成２８年４月１日付けで意見書及び手続補正書が提出され、平成２８年６月１７日付けで最後の拒絶の理由が通知され（発送日：平成２８年６月２０日）、平成２８年９月１５日付けで意見書が提出され、平成２８年１２月２２日付けで最後の拒絶の理由が通知され（発送日：平成２８年１２月２６日）、平成２９年４月１４日付けで意見書及び手続補正書が提出されたものである。
２．平成２９年４月１４日付けの手続補正についての補正の却下の決定
［補正の却下の決定の結論］
　平成２９年４月１４日付けの手続補正（以下、「本件補正」という。）を却下する。
［理由Ｉ］
（１）補正の内容
　本件補正前の特許請求の範囲は、以下のとおりである。
「【請求項１】
　電力をデバイスに供給するための方法であって、
　電子デバイスに適応するように構成されたハウジングに結合されたレシーバを使用して伝送器から無線電力を受け取るステップと、
　前記伝送器から無線で受け取ったエネルギーを使用して第1のエネルギー蓄積デバイスおよび第2のエネルギー蓄積デバイスを充電するステップと、
　前記第1のエネルギー蓄積デバイスの充電レベルが第1の閾値レベルに到達すると、前記第1のエネルギー蓄積デバイスから前記第2のエネルギー蓄積デバイスへエネルギーを輸送するとともに、前記伝送器から無線で受け取ったエネルギーを使用して前記第2のエネルギー蓄積デバイスを充電するステップと、
　前記第1のエネルギー蓄積デバイスの前記充電レベルが前記第1の閾値レベル未満に降下すると、前記第1のエネルギー蓄積デバイスから前記第2のエネルギー蓄積デバイスへのエネルギーの輸送を終了するステップと
　を含む方法。
　　【請求項２】
　前記輸送を終了するステップは、前記第1のエネルギー蓄積デバイスの前記充電レベルが、前記第1の閾値レベルに代えて、前記第1の閾値レベルの値より小さい値を有する第2の閾値レベル未満に降下すると、前記第1のエネルギー蓄積デバイスから前記第2のエネルギー蓄積デバイスへのエネルギーの輸送を終了するステップを含む、請求項1に記載の方法。
　　【請求項３】
　前記電子デバイスに適応するように構成された前記ハウジングに結合された前記レシーバを使用して前記伝送器から無線電力を受け取るステップが、前記ハウジングのカバーに結合されたレシーブコイルを使用して無線電力を受け取るステップである、請求項1に記載の方法。
　　【請求項４】
　前記電子デバイスに適応するように構成された前記ハウジングに結合された前記レシーバを使用して前記伝送器から無線電力を受け取るステップが、セルラ電話、携帯型メディアプレーヤ、カメラ、ゲームデバイス、航法デバイス、ヘッドセット、工具および玩具のうちの少なくとも1つを備えた前記電子デバイス内に統合されたレシーバを使用して無線電力を受け取るステップである、請求項1に記載の方法。
　　【請求項５】
　前記伝送器から無線で受け取ったエネルギーを使用して前記第1のエネルギー蓄積デバイスおよび前記第2のエネルギー蓄積デバイスを充電するステップが、電池、ウルトラコンデンサおよび機械式蓄積デバイスのうちの少なくとも1つを充電するステップである、請求項1に記載の方法。
　　【請求項６】
　前記第1のエネルギー蓄積デバイスの内部抵抗が前記第2のエネルギー蓄積デバイスの内部抵抗より小さい、請求項1に記載の方法。
　　【請求項７】
　前記第1のエネルギー蓄積デバイスが前記第2のエネルギー蓄積デバイスより速く充電し、また、前記第2のエネルギー蓄積デバイスが前記第1のエネルギー蓄積デバイスより長い寿命を有する、請求項1に記載の方法。
　　【請求項８】
　前記電子デバイスが前記第1のエネルギー蓄積デバイスおよび前記第2のエネルギー蓄積デバイスを備え、また、前記電子デバイスが動作している間、前記第1のエネルギー蓄積デバイスを物理的に除去することができる、請求項1に記載の方法。
　　【請求項９】
　前記第1のエネルギー蓄積デバイスを前記第2のエネルギー蓄積デバイスより高い電圧で充電するステップをさらに含む、請求項1に記載の方法。
　　【請求項１０】
　デバイスであって、
　電子デバイスに適応するように構成されたハウジングに結合された、伝送器から無線電力を受け取るための手段と、
　前記伝送器から無線で受け取ったエネルギーを使用して第1のエネルギー蓄積デバイスおよび第2のエネルギー蓄積デバイスを充電するための手段と、
　前記第1のエネルギー蓄積デバイスの充電レベルが第1の閾値レベルに到達すると、前記第1のエネルギー蓄積デバイスから前記第2のエネルギー蓄積デバイスへエネルギーを輸送するとともに、前記伝送器から無線で受け取ったエネルギーを使用して前記第2のエネルギー蓄積デバイスを充電するための手段と、
　前記第1のエネルギー蓄積デバイスの前記充電レベルが前記第1の閾値レベル未満に降下すると、前記第1のエネルギー蓄積デバイスから前記第2のエネルギー蓄積デバイスへのエネルギーの輸送を終了するための手段と
　を備えるデバイス。
　　【請求項１１】
　前記第1のエネルギー蓄積デバイスから前記第2のエネルギー蓄積デバイスへのエネルギ
ーの輸送を終了するための手段は、前記第1のエネルギー蓄積デバイスの前記充電レベルが、前記第1の閾値レベルに代えて、前記第1の閾値レベルの値より小さい値を有する第2の閾値レベル未満に降下すると、前記第1のエネルギー蓄積デバイスから前記第2のエネルギー蓄積デバイスへのエネルギーの輸送を終了するための手段である、請求項10に記載のデバイス。
　　【請求項１２】
　前記第1のエネルギー蓄積デバイスが前記第2のエネルギー蓄積デバイスより速く充電し、また、前記第2のエネルギー蓄積デバイスが前記第1のエネルギー蓄積デバイスより長い寿命を有する、請求項10に記載のデバイス。
　　【請求項１３】
　前記第1のエネルギー蓄積デバイスを前記デバイスから物理的に除去する際に、前記デバイスの動作を継続するための手段をさらに備える、請求項10に記載のデバイス。
　　【請求項１４】
　前記第1のエネルギー蓄積デバイスを前記第2のエネルギー蓄積デバイスより高い電圧で充電するための手段をさらに備える、請求項10に記載のデバイス。
　　【請求項１５】
　前記第1のエネルギー蓄積デバイスの内部抵抗が前記第2のエネルギー蓄積デバイスの内部抵抗より小さい、請求項10に記載のデバイス。
　　【請求項１６】
　前記充電するための手段、および前記輸送するための手段が、1つまたは複数のプロセッサによって実行される、請求項12に記載のデバイス。
　　【請求項１７】
　デバイスであって、
　第1のエネルギー蓄積デバイスと、
　第2のエネルギー蓄積デバイスと、
　伝送器から無線電力を受け取るように構成されたレシーバと、
　コントローラであって、
　　前記伝送器から無線で受け取った電力を使用して、前記第1のエネルギー蓄積デバイスおよび前記第2のエネルギー蓄積デバイスを充電し、
　　前記第1のエネルギー蓄積デバイスの充電レベルが第1の閾値レベルに到達すると、前記第1のエネルギー蓄積デバイスから前記第2のエネルギー蓄積デバイスへエネルギーを輸送するとともに、前記伝送器から無線で受け取ったエネルギーを使用して前記第2のエネルギー蓄積デバイスを充電し、
　前記第1のエネルギー蓄積デバイスの前記充電レベルが前記第1の閾値レベル未満に降下すると、前記第1のエネルギー蓄積デバイスから前記第2のエネルギー蓄積デバイスへのエネルギーの輸送の終了するように構成されたコントローラと、
　前記第1のエネルギー蓄積デバイスに結合され、電子デバイスに適応するように構成されたハウジングと
　を備えるデバイス。
　　【請求項１８】
　前記デバイスが、セルラ電話、携帯型メディアプレーヤ、カメラ、ゲームデバイス、航法デバイス、ヘッドセット、工具および玩具のうちの少なくとも1つである、請求項17に記載のデバイス。
　　【請求項１９】
　前記ハウジングが、スリーブ、シェル、ケージ、ケースおよびカバーのうちの少なくとも1つである、請求項17に記載のデバイス。
　　【請求項２０】
　前記第1のエネルギー蓄積デバイス、前記第2のエネルギー蓄積デバイス、およびレシーバの少なくとも一部のうちの少なくとも一つが前記ハウジングに結合される、請求項17に記載のデバイス。
　　【請求項２１】
　前記ハウジングのカバーに結合されたレシーブコイルをさらに備える、請求項17に記載のデバイス。
　　【請求項２２】
　前記ハウジングが、前記電子デバイスが前記ハウジング内に位置している間、デバイスの使用者による前記電子デバイスの操作を可能にするように構成される、請求項17に記載のデバイス。
　　【請求項２３】
　前記ハウジングが、1つまたは複数の入力デバイスまたは出力デバイスにアクセスするための1つまたは複数のアクセス開口を備える、請求項17に記載のデバイス。
　　【請求項２４】
　少なくとも1つのアクセス開口内に配置された、前記ハウジング内に配置された電子デバイスのポートを前記コントローラに結合するための電気コネクタをさらに備える、請求項23に記載のデバイス。
　　【請求項２５】
　前記コントローラを前記第2のエネルギー蓄積デバイスに結合するための電気コネクタをさらに備える、請求項17に記載のデバイス。
　　【請求項２６】
　前記第1のエネルギー蓄積デバイスと前記第2のエネルギー蓄積デバイスの間に動作可能に結合された電力変換器をさらに備える、請求項17に記載のデバイス。
　　【請求項２７】
　前記第1のエネルギー蓄積デバイスおよび前記第2のエネルギー蓄積デバイスを備えることに代えて、前記第1のエネルギー蓄積デバイスおよび第2のエネルギー蓄積デバイスのうちの少なくとも一方が前記デバイスの外部に存在する、請求項19に記載のデバイス。
　　【請求項２８】
　前記第1のエネルギー蓄積デバイスの内部抵抗が前記第2のエネルギー蓄積デバイスの内部抵抗より小さい、請求項17に記載のデバイス。
　　【請求項２９】
　前記第1のエネルギー蓄積デバイスが前記第2のエネルギー蓄積デバイスより高い電圧で充電され、かつ、放電するように構成される、請求項17に記載のデバイス。」
　本件補正により、特許請求の範囲は、以下のように補正された。
「【請求項１】
　電力をデバイスに供給するための方法であって、
　電子デバイスに適応するように構成されたハウジングに結合されたレシーバを使用して伝送器から無線電力を受け取るステップと、
　前記伝送器から無線で受け取ったエネルギーを使用して第1のエネルギー蓄積デバイスおよび第2のエネルギー蓄積デバイスを時間領域多重化方式に従って所定の割合で充電するステップと、
　前記第1のエネルギー蓄積デバイスの充電レベルが第1の閾値レベルに到達すると、前記第1のエネルギー蓄積デバイスから前記第2のエネルギー蓄積デバイスへエネルギーを輸送するステップと、
　前記第1のエネルギー蓄積デバイスの前記充電レベルが前記第1の閾値レベル未満に降下すると、前記第1のエネルギー蓄積デバイスから前記第2のエネルギー蓄積デバイスへのエネルギーの輸送を終了するステップと
　を含む方法。
　　【請求項２】
　前記輸送を終了するステップは、前記第1のエネルギー蓄積デバイスの前記充電レベルが、前記第1の閾値レベルに代えて、前記第1の閾値レベルの値より小さい値を有する第2の閾値レベル未満に降下すると、前記第1のエネルギー蓄積デバイスから前記第2のエネルギー蓄積デバイスへのエネルギーの輸送を終了するステップを含む、請求項1に記載の方法。
　　【請求項３】
　前記電子デバイスに適応するように構成された前記ハウジングに結合された前記レシーバを使用して前記伝送器から無線電力を受け取るステップが、前記ハウジングのカバーに結合されたレシーブコイルを使用して無線電力を受け取るステップである、請求項1に記載の方法。
　　【請求項４】
　前記電子デバイスに適応するように構成された前記ハウジングに結合された前記レシーバを使用して前記伝送器から無線電力を受け取るステップが、セルラ電話、携帯型メディアプレーヤ、カメラ、ゲームデバイス、航法デバイス、ヘッドセット、工具および玩具のうちの少なくとも1つを備えた前記電子デバイス内に統合されたレシーバを使用して無線
電力を受け取るステップである、請求項1に記載の方法。
　　【請求項５】
　前記伝送器から無線で受け取ったエネルギーを使用して前記第1のエネルギー蓄積デバイスおよび前記第2のエネルギー蓄積デバイスを充電するステップが、電池、ウルトラコンデンサおよび機械式蓄積デバイスのうちの少なくとも1つを充電するステップである、請求項1に記載の方法。
　　【請求項６】
　前記第1のエネルギー蓄積デバイスの内部抵抗が前記第2のエネルギー蓄積デバイスの内部抵抗より小さい、請求項1に記載の方法。
　　【請求項７】
　前記第1のエネルギー蓄積デバイスが前記第2のエネルギー蓄積デバイスより速く充電し、また、前記第2のエネルギー蓄積デバイスが前記第1のエネルギー蓄積デバイスより長い寿命を有する、請求項1に記載の方法。
　　【請求項８】
　前記電子デバイスが前記第1のエネルギー蓄積デバイスおよび前記第2のエネルギー蓄積デバイスを備え、また、前記電子デバイスが動作している間、前記第1のエネルギー蓄積デバイスを物理的に除去することができる、請求項1に記載の方法。
　　【請求項９】
　前記第1のエネルギー蓄積デバイスを前記第2のエネルギー蓄積デバイスより高い電圧で充電するステップをさらに含む、請求項1に記載の方法。
　　【請求項１０】
　デバイスであって、
　電子デバイスに適応するように構成されたハウジングに結合された、伝送器から無線電力を受け取るための手段と、
　前記伝送器から無線で受け取ったエネルギーを使用して第1のエネルギー蓄積デバイスおよび第2のエネルギー蓄積デバイスを時間領域多重化方式に従って所定の割合で充電するための手段と、
　前記第1のエネルギー蓄積デバイスの充電レベルが第1の閾値レベルに到達すると、前記第1のエネルギー蓄積デバイスから前記第2のエネルギー蓄積デバイスへエネルギーを輸送するための手段と、
　前記第1のエネルギー蓄積デバイスの前記充電レベルが前記第1の閾値レベル未満に降下すると、前記第1のエネルギー蓄積デバイスから前記第2のエネルギー蓄積デバイスへのエネルギーの輸送を終了するための手段と
　を備えるデバイス。
　　【請求項１１】
　前記第1のエネルギー蓄積デバイスから前記第2のエネルギー蓄積デバイスへのエネルギーの輸送を終了するための手段は、前記第1のエネルギー蓄積デバイスの前記充電レベルが、前記第1の閾値レベルに代えて、前記第1の閾値レベルの値より小さい値を有する第2の閾値レベル未満に降下すると、前記第1のエネルギー蓄積デバイスから前記第2のエネルギー蓄積デバイスへのエネルギーの輸送を終了するための手段である、請求項10に記載のデバイス。
　　【請求項１２】
　前記第1のエネルギー蓄積デバイスが前記第2のエネルギー蓄積デバイスより速く充電し、また、前記第2のエネルギー蓄積デバイスが前記第1のエネルギー蓄積デバイスより長い寿命を有する、請求項10に記載のデバイス。
　　【請求項１３】
　前記第1のエネルギー蓄積デバイスを前記デバイスから物理的に除去する際に、前記デバイスの動作を継続するための手段をさらに備える、請求項10に記載のデバイス。
　　【請求項１４】
　前記第1のエネルギー蓄積デバイスを前記第2のエネルギー蓄積デバイスより高い電圧で充電するための手段をさらに備える、請求項10に記載のデバイス。
　　【請求項１５】
　前記第1のエネルギー蓄積デバイスの内部抵抗が前記第2のエネルギー蓄積デバイスの内部抵抗より小さい、請求項10に記載のデバイス。
　　【請求項１６】
　前記充電するための手段、および前記輸送するための手段が、1つまたは複数のプロセッサによって実行される、請求項12に記載のデバイス。
　　【請求項１７】
　デバイスであって、
　第1のエネルギー蓄積デバイスと、
　第2のエネルギー蓄積デバイスと、
　伝送器から無線電力を受け取るように構成されたレシーバと、
　コントローラであって、
　　前記伝送器から無線で受け取った電力を使用して、前記第1のエネルギー蓄積デバイスおよび前記第2のエネルギー蓄積デバイスを時間領域多重化方式に従って所定の割合で充電し、
　　前記第1のエネルギー蓄積デバイスの充電レベルが第1の閾値レベルに到達すると、前記第1のエネルギー蓄積デバイスから前記第2のエネルギー蓄積デバイスへエネルギーを輸送し、
　前記第1のエネルギー蓄積デバイスの前記充電レベルが前記第1の閾値レベル未満に降下すると、前記第1のエネルギー蓄積デバイスから前記第2のエネルギー蓄積デバイスへのエネルギーの輸送の終了するように構成されたコントローラと、
　前記第1のエネルギー蓄積デバイスに結合され、電子デバイスに適応するように構成されたハウジングと
　を備えるデバイス。
　　【請求項１８】
　前記デバイスが、セルラ電話、携帯型メディアプレーヤ、カメラ、ゲームデバイス、航法デバイス、ヘッドセット、工具および玩具のうちの少なくとも1つである、請求項17に記載のデバイス。
　　【請求項１９】
　前記ハウジングが、スリーブ、シェル、ケージ、ケースおよびカバーのうちの少なくとも1つである、請求項17に記載のデバイス。
　　【請求項２０】
　前記第1のエネルギー蓄積デバイス、前記第2のエネルギー蓄積デバイス、およびレシーバの少なくとも一部のうちの少なくとも一つが前記ハウジングに結合される、請求項17に記載のデバイス。
　　【請求項２１】
　前記ハウジングのカバーに結合されたレシーブコイルをさらに備える、請求項17に記載のデバイス。
　　【請求項２２】
　前記ハウジングが、前記電子デバイスが前記ハウジング内に位置している間、デバイスの使用者による前記電子デバイスの操作を可能にするように構成される、請求項17に記載のデバイス。
　　【請求項２３】
　前記ハウジングが、1つまたは複数の入力デバイスまたは出力デバイスにアクセスするための1つまたは複数のアクセス開口を備える、請求項17に記載のデバイス。
　　【請求項２４】
　少なくとも1つのアクセス開口内に配置された、前記ハウジング内に配置された電子デバイスのポートを前記コントローラに結合するための電気コネクタをさらに備える、請求項23に記載のデバイス。
　　【請求項２５】
　前記コントローラを前記第2のエネルギー蓄積デバイスに結合するための電気コネクタをさらに備える、請求項17に記載のデバイス。
　　【請求項２６】
　前記第1のエネルギー蓄積デバイスと前記第2のエネルギー蓄積デバイスの間に動作可能に結合された電力変換器をさらに備える、請求項17に記載のデバイス。
　　【請求項２７】
　前記第1のエネルギー蓄積デバイスおよび前記第2のエネルギー蓄積デバイスを備えることに代えて、前記第1のエネルギー蓄積デバイスおよび第2のエネルギー蓄積デバイスのうちの少なくとも一方が前記デバイスの外部に存在する、請求項19に記載のデバイス。
　　【請求項２８】
　前記第1のエネルギー蓄積デバイスの内部抵抗が前記第2のエネルギー蓄積デバイスの内部抵抗より小さい、請求項17に記載のデバイス。
　　【請求項２９】
　前記第1のエネルギー蓄積デバイスが前記第2のエネルギー蓄積デバイスより高い電圧で充電され、かつ、放電するように構成される、請求項17に記載のデバイス。」
（２）新規事項
　本件補正後の請求項１には「第1のエネルギー蓄積デバイスおよび第2のエネルギー蓄積デバイスを時間領域多重化方式に従って所定の割合で充電する」と記載されている。
　本件補正後の請求項１に記載された「第1のエネルギー蓄積デバイスおよび第2のエネルギー蓄積デバイス」は、段落【００４４】に「エネルギー蓄積デバイス708は、本明細書においては「蓄電池708」と呼ぶことも可能である。非制限の例として、蓄電池708は、電池、ウルトラコンデンサ、機械式蓄積デバイスまたはそれらの任意の組合せを備えることができる。」とあるように、電池やコンデンサ等からなる蓄積デバイスである。
　「時間領域多重化方式に従って所定の割合で充電する」は、所定の割合の充電を、時間領域（タイムスロット）の割り当てで行うことを意味するものである。
　そこで、電池やコンデンサ等の蓄積デバイスである、第1のエネルギー蓄積デバイスと第2のエネルギー蓄積デバイスとに所定の割合の充電を、時間領域（タイムスロット）の割り当てで行うという技術的事項について、国際出願日における国際特許出願の明細書若しくは図面（図面の中の説明に限る）の翻訳文、国際出願日における国際特許出願の請求の範囲の翻訳文（特許協力条約第１９条（１）の規定に基づく補正後の請求の範囲の翻訳文が提出された場合にあっては、当該翻訳文）又は国際出願日における国際特許出願の図面（図面の中の説明を除く）（以下、翻訳文等という）のすべての記載を総合することにより導かれる技術的事項との関係において新たな技術的事項を導入しないものか否か検討する。
　翻訳文等には、以下の記載がある。
ａ「【００３５】
　複数のレシーバ300が伝送器の近距離場に存在している場合、他のレシーバをより有効に伝送器に結合することができるようにするためには、場合によっては1つまたは複数のレシーバのローディングおよびアンローディングを時間多重化することが望ましい。」
ｂ「【００４２】
　当業者には理解されるように、充電可能電子デバイス(例えば移動電話)は、周期的に充電するために構成することができる(つまり1回につき数分間にわたって電荷を受け取る)。しかしながら、上で言及したように、無線充電器は、複数の充電可能電子デバイスの間で「電力を共有する」ために、充電可能電子デバイスへの電力を周期的に中断することがあり、したがって無線充電器が充電可能電子デバイスに電力を輸送（convey）することができるのは、1回につき数秒以内にすぎない。これは、充電の開始を失敗し、充電を早く終了し、および/または電池の充電状態を不正確に測定する原因になることがある。」
ｃ「【００４５】
　また、電子デバイス700は、レシーバ704および蓄電池708の各々に動作可能に結合されるコントローラ710、およびコントローラ710、蓄電池708およびエネルギー蓄積デバイス706の各々に動作可能に結合されるコントローラ712を含むことも可能である。コントローラ710は、レシーバ704からエネルギーを受け取り、かつ、蓄電池708にエネルギーを輸送するように構成することができる。コントローラ712は、コントローラ710および蓄電池708の各々からエネルギーを受け取り、かつ、エネルギー蓄積デバイス706にエネルギーを移送するように構成することができる。」
ｄ「【００４６】
　一例示的実施形態によれば、コントローラ712の入力の電圧レベルおよび/または電流レベルが閾値レベルに到達すると、蓄電池708および恐らくはレシーバ704からエネルギー蓄積デバイス706へコントローラ712を介してエネルギーを移送することができる。言い換えると、第2のコントローラ712は、蓄電池708の充電レベルが閾値に到達すると、蓄電池708および恐らくはレシーバ704からエネルギー蓄積デバイス706へエネルギーを移送するように構成することができる。蓄電池708およびレシーバ704から利用することができるエネルギーの量がエネルギー蓄積デバイス706を充電するには不十分になると(つまり蓄電池708の充電レベルが閾値未満に降下すると)、エネルギー蓄積デバイス706の充電を停止することができ、また、蓄電池708を再充電することができることに留意されたい。蓄電池708、レシーバ704またはそれらの組合せから利用することができるエネルギーがエネルギー蓄積デバイス706を充電するために再び十分になると、コントローラ712は、エネルギー蓄積デバイス706にエネルギーを輸送することができる。エネルギー蓄積デバイス706にエネルギーが移送されるのは蓄電池708が少なくとも閾値レベルの電荷を備えている場合のみであるため、エネルギー蓄積デバイス706は、充電中、特定の量未満のエネルギーを受け取ることは絶対にないことにさらに留意されたい。」
ｅ「【００４８】
　次に、電子デバイス700の企図されている動作について説明する。最初に、アンテナ702が信号を受け取ることができ、この信号には、この例によれば無線電力が含まれている。次に、図5を参照して上で説明したレシーバ300と同様の方法で機能することができるレシーバ704がこの無線電力信号を受け取ることができる。レシーバ704は、次に、蓄電池708を充電するために、コントローラ710を介して蓄電池708にエネルギーを輸送することができる。蓄電池708の充電レベルが閾値に到達すると、蓄電池708、レシーバ704またはそれらの組合せからエネルギー蓄積デバイス706へコントローラ712を介してエネルギーを移送することができる。蓄電池708の電圧レベルが閾値または他のより低い閾値未満に降下するときはいつでも、蓄電池708からエネルギー蓄積デバイス706への電力の伝送を終了することができる。」
ｆ「【００５２】
　さらに、電子デバイス750は、レシーバ704および蓄電池708の各々に動作可能に結合される電力モジュール714、およびコントローラ762を含むことも可能である。一例示的実施形態によれば、電力モジュール714は、3-ポートモジュールを備えることができる。電力モジュール714は、レシーバ704から電力を受け取り、かつ、蓄電池708に電力を輸送するように構成することができる。さらに、コントローラ762は、電力モジュール714から電力を受け取り、かつ、エネルギー蓄積デバイス706に電力を輸送するように構成することができる。一例示的実施形態によれば、電力モジュール714は、電力モジュール714から蓄電池708へ輸送されるエネルギーの量、蓄電池708から電力モジュール714へ輸送されるエネルギーの量、および電力モジュール714からコントローラ762へ輸送されるエネルギーの量を制御するように構成することができる。」
ｇ「【００５５】
　次に、電子デバイス750の企図されている動作について説明する。最初に、アンテナ702が信号を受け取ることができ、この信号には、この例によれば無線電力が含まれている。次に、図5を参照して上で説明したレシーバ300と同様の方法で機能することができるレシーバ704がこの無線電力信号を受け取ることができる。レシーバ704は、次に、蓄電池708を充電するために、電力モジュール714を介して蓄電池708に電力を輸送することができる。コントローラ762の入力の電圧レベルが閾値に到達すると、蓄電池708、レシーバ704またはそれらの組合せからエネルギー蓄積デバイス706へコントローラ762を介して電力を移送することができる。蓄電池708の電圧レベルが閾値または他のより低い閾値未満に降下するときはいつでも、蓄電池708からエネルギー蓄積デバイス706への電力の伝送を停止することができる。
　【００５６】
　上で言及したように、電力モジュール714は、蓄電池708へ輸送され、また、蓄電池708から輸送されるエネルギーの量を制御し、また、コントローラ762を介してエネルギー蓄積デバイス706へ輸送されるエネルギーの量を制御するように構成することができる。一例として、電力モジュール714は、レシーバ704から受け取るエネルギーの特定の百分率(例えば25%)を蓄電池708へ輸送し、また、レシーバ704から受け取るエネルギーの特定の百分率(例えば75%)をコントローラ762を介してエネルギー蓄積デバイス706へ輸送するように構成することができる。」
ｈ「【００６８】
　図15は、第1の電子デバイス902および第2の電子デバイス904を含んだシステム900を示したもので、第1の電子デバイス902および第2の電子デバイス904の各々は、無線充電器906の充電領域に配置されている。第1の電子デバイス902は、上で説明した電子デバイス700または電子デバイス750のいずれかを備えることができることに留意されたい。さらに、第1の電子デバイス902は、充電可能デバイス(例えばカメラ、移動電話またはメディアプレーヤ)、あるいは充電可能デバイスを収納するように構成されたデバイス(例えばスリーブ、ケースまたはケージ)を備えることができることに留意されたい。
　【００６９】
　当業者には理解されるように、無線電力充電器は、個々の電子デバイスに割り当てられた起動タイムスロットに基づく時間領域多重化方式に従って複数の電子デバイスに無線電力を輸送することができる。図16は、時間に対する第1の電子デバイス902のエネルギー蓄積デバイス(例えば蓄電池708)のエネルギーレベルを示すタイミング図であり、無線充電器906は、時間領域多重化方式に従って第1の電子デバイス902および第2の電子デバイス904に無線電力を輸送している。第1のタイムスロットt1の間、無線充電器906は第1の電子デバイス902に無線電力を輸送しており、その結果、蓄電池のエネルギーレベルが高くなって閾値Vthに到達する。タイムスロットt2からt5までの各々の間、蓄電池からエネルギー蓄積デバイス(例えばエネルギー蓄積デバイス706)へエネルギーが輸送されている。さらに、第2のタイムスロットt2および第4のタイムスロットt4の間、無線充電器906は第1の電子デバイス902に電力を輸送している。さらに、第3のタイムスロットt3および第5のタイムスロットt5の各々の間、無線充電器906は第2の電子デバイス904に電力を輸送しており、したがって第1の電子デバイス902の蓄電池の電圧レベルが低くなる。」
ｉ「【００７０】
　図17は、時間に対する第1の電子デバイス902のエネルギー蓄積デバイス(例えば蓄電池708)のエネルギーレベルを示す他のタイミング図であり、無線充電器906は、時間領域多重化方式に従って第1の電子デバイス902および第2の電子デバイス904に無線電力を輸送している。この実施形態では、蓄電池の充電レベルが上部閾値Vth_upperに到達するまでの間、エネルギーは、蓄電池(例えば蓄電池708)からエネルギー蓄積デバイス(例えばエネルギー蓄積デバイス706)に輸送されない。さらに、蓄電池の充電レベルが上部閾値Vth_upperに到達した後、蓄電池の充電レベルが下部閾値Vth_lower未満に降下するまでの間、蓄電池からエネルギー蓄積デバイスへエネルギーが連続的に輸送される。第1のタイムスロットTlの間、無線充電器906は第1の電子デバイス902に無線電力を輸送しており、その結果、蓄電池のエネルギーレベルが高くなって上部閾値Vth_upperに到達する。タイムスロットT2からT4までの各々の間、蓄電池からエネルギー蓄積デバイスへエネルギーが輸送されている。さらに、第2のタイムスロットT2および第4のタイムスロットT4の間、無線充電器906は第2の電子デバイス904に電力を輸送しており、したがって第1の電子デバイス902の蓄電池の電圧レベルが低くなる。さらに、第3のタイムスロットT3の間、無線充電器906は第1の電子デバイス902に電力を輸送している。」
　上記ａ、ｂ、ｈ、ｉに示される事項は、複数の充電可能デバイス(例えばカメラ、移動電話またはメディアプレーヤ)のそれぞれに時間領域（タイムスロット）を割り当てて、無線電力を与えることが開示されているものであり、充電可能デバイスのハウジングの内部に設けられる、電池やウルトラコンデンサ等の蓄積デバイスである、第1のエネルギー蓄積デバイスと第2のエネルギー蓄積デバイスの充電を行うことは記載も示唆もない。
　また、上記ｃ〜ｇには、レシーバから受け取るエネルギーをコントローラ等の手段によって各々のエネルギー蓄積デバイスへ輸送することや、その輸送されるエネルギーの量を制御することは記載されているが、コントローラ等の手段が、各エネルギー蓄積デバイスに時間領域（タイムスロット）を割り当てることや、第1のエネルギー蓄積デバイスおよび第2のエネルギー蓄積デバイスを所定の割合で充電することが、時間領域（タイムスロット）の割り当てで制御されることは記載も示唆もない。
　したがって、上記ａ〜ｉには、充電可能デバイスのハウジングの内部に設けられる、電池、ウルトラコンデンサ、機械式蓄積デバイス等である、第1のエネルギー蓄積デバイスと第2のエネルギー蓄積デバイスとに所定の割合で充電することを時間領域（タイムスロット）の割り当てで行うという技術的事項を開示するものではない。
　以上より、本件補正後の請求項１に記載された「第1のエネルギー蓄積デバイスおよび第2のエネルギー蓄積デバイスを時間領域多重化方式に従って所定の割合で充電する」は、翻訳文等のすべての記載を総合することにより導かれる技術的事項との関係において、新たな技術的事項を導入しないものではなく、特許法第１７条の２第３項の規定に違反するものである。
　請求項１０、１７も同様である。
（３）目的要件
　本件補正が、特許法第１７条の２第５項の各号に掲げる事項を目的とするものに該当するかについて検討する。
　特許法第１７条の２第５項第２号の「特許請求の範囲の減縮」は、第３６条第５項の規定により請求項に記載した発明を特定するために必要な事項を限定するものであって、その補正前の当該請求項に記載された発明とその補正後の当該請求項に記載される発明の産業上の利用分野及び解決しようとする課題が同一であるものに限られる。また、補正前の請求項と補正後の請求項との対応関係が明白であって、かつ、補正後の請求項が補正前の請求項を限定した関係になっていることが明確であることが要請され、補正前の請求項と補正後の請求項とは、一対一又はこれに準ずるような対応関係に立つものでなければならない。
　本件補正後の請求項１は電力をデバイスに供給するための方法に係るものであり、請求人も平成２９年４月１４日付けの意見書で主張するように、電力をデバイスに供給するための方法に係る本件補正前の請求項１に対応するものとして検討する。
　本件補正前の請求項１には「第1のエネルギー蓄積デバイスの充電レベルが第1の閾値レベルに到達すると、前記第1のエネルギー蓄積デバイスから前記第2のエネルギー蓄積デバイスへエネルギーを輸送するとともに、前記伝送器から無線で受け取ったエネルギーを使用して前記第2のエネルギー蓄積デバイスを充電するステップ」とあったものが、本件補正後の請求項１には「第1のエネルギー蓄積デバイスの充電レベルが第1の閾値レベルに到達すると、前記第1のエネルギー蓄積デバイスから前記第2のエネルギー蓄積デバイスへエネルギーを輸送するステップ」とあり、本件補正前の請求項１は、第1のエネルギー蓄積デバイスから第2のエネルギー蓄積デバイスへエネルギーを輸送するとともに、伝送器から無線で受け取ったエネルギーを使用して第2のエネルギー蓄積デバイスを充電することを行っていたものが、本件補正後の請求項１は、第1のエネルギー蓄積デバイスから第2のエネルギー蓄積デバイスへエネルギーを輸送することのみを行うものとなっている。
　本件補正により、本件補正前の請求項１から「前記伝送器から無線で受け取ったエネルギーを使用して前記第2のエネルギー蓄積デバイスを充電する」事項が削除され、しかも、本件補正後の請求項１には他に実質的に当該同内容の事項は記載はされていないから、本件補正は特許法第３６条第５項の規定により請求項に記載した発明を特定するために必要な事項を限定するものには該当せず、特許法第１７条の２第５項２号の「特許請求の範囲の減縮」に該当しない。
　請求項１０、１７も同様である。
　したがって、本件補正は、特許請求の範囲の減縮を目的とする補正とは認められない。また、本件補正は、請求項の削除、誤記の訂正、明瞭でいない記載の釈明を目的としたものでないことも明らかである。
　なお、請求人は、平成２９年４月１４日付けの意見書で、当該補正は明瞭でない記載の釈明を目的としたものであると主張しているが、「前記伝送器から無線で受け取ったエネルギーを使用して前記第2のエネルギー蓄積デバイスを充電する」を削除することは不明瞭な記載の釈明となるものではないから、請求人の上記主張を採用することはできない。
（４）むすび
　したがって、本件補正は、特許法第１７条の２第３項の規定に違反するものであり、特許法第１７条の２第５項の規定に違反するものであるから、特許法第１５９条第１項の規定において読み替えて準用する特許法第５３条第１項の規定により却下すべきものである。
［理由II］
　上記のとおり、本件補正は、特許法第１７条の２第３項の規定に違反するものであり、特許法第１７条の２第５項の規定に違反するものであるが、仮に本件補正が、特許請求の範囲の減縮を目的とするものに該当するとして、本件補正後の請求項に記載されたものが特許出願の際独立して特許を受けることができるものであるか（特許法第１７条の２第６項において準用する特許法第１２６条第７項の規定に適合するか）について以下に検討する。
（１）特許法第３６条第４項及び第６項について
　本件補正後の請求項１には「第1のエネルギー蓄積デバイスおよび第2のエネルギー蓄積デバイスを時間領域多重化方式に従って所定の割合で充電する」とある。
　しかし、時間領域多重化方式に従って所定の割合で充電するためには何らかの回路を用いて充電しなければならないが、どの様な回路がどの様に充電するか不明であり、仮に、何らかの手段を用いることにより、レシーバを使用して伝送器から無線で受け取ったエネルギーに時間領域（タイムスロット）を割り当てることで、第1のエネルギー蓄積デバイスおよび第2のエネルギー蓄積デバイスに振り分けて供給したとしても、エネルギー蓄積デバイスの電圧よりも高い電圧でエネルギーを供給しない限り充電を行うことはできないので、第1のエネルギー蓄積デバイスと第2のエネルギー蓄積デバイスのどちらも充電できない場合も、一方へのみ充電が可能である場合も、双方に充電可能である場合も考えられ、「第1のエネルギー蓄積デバイスと第2のエネルギー蓄積デバイスを時間領域多重化方式に従って所定の割合で充電する」ことをどのようにして行うのか不明である。
　また、本件補正後の請求項１には「前記第1のエネルギー蓄積デバイスから前記第2のエネルギー蓄積デバイスへエネルギーを輸送する」とあるが、第1のエネルギー蓄積デバイスから第2のエネルギー蓄積デバイスへエネルギーを輸送するとき、レシーバは伝送器からエネルギーを受け取るのか否か不明であり、仮に、当該輸送と同時にレシーバが伝送器からエネルギーを受け取るとすると、レシーバーが受け取ったエネルギーはどこに伝送されるのか不明である。
　なお、本件補正後の請求項１０、１７についても同様である。
　発明の詳細な説明には、レシーバを使用して伝送器から無線電力を受け取り、受け取ったエネルギーを、所定の割合で第1のエネルギー蓄積デバイスおよび第2のエネルギー蓄積デバイスを充電することに関し、前記「［理由Ｉ］（２）新規事項」で摘記したｆ、ｇの記載があるが、「時間領域多重化方式に従って所定の割合で充電する」ための具体的な回路構成等は記載されておらず、どのように実施するかも不明である。
　したがって、本件補正後の請求項１−２９の記載は明確でなく、特許法第３６条第６項第２号に規定する要件を満たしておらず、本件補正後の請求項１−２９の記載は発明の詳細な説明に記載した範囲を超えているので、特許法第３６条第６項第１号に規定する要件を満たしておらず、発明の詳細な説明の記載は、当業者がその実施をすることができる程度に明確かつ十分に記載したものではなく、特許法第３６条第４項第１号に規定する要件も満たしていないため、特許出願の際独立して特許を受けることができない。
（２）むすび
　以上のとおり、本件補正は、特許法第１７条の２第６項において準用する特許法第１２６条第７項の規定に違反するものであり、特許法第１５９条第１項で準用する特許法第５３条の規定により却下されるべきものである。
３．本願発明について
　本件補正は上記のとおり却下されたので、本願の請求項１−２９に係る発明は、上記した平成２８年４月１日付手続補正書の特許請求の範囲の請求項１−２９に記載された事項により特定されるとおりのものである。
（１）当審の最後の拒絶の理由
　当審で平成２８年１２月２２日付で通知した最後の拒絶の理由の概要は以下のとおりである。
「この出願は、明細書、特許請求の範囲及び図面の記載が下記の点で、特許法第３６条第４項及び第６項に規定する要件を満たしていない。
 　　　　　　　　　　　　　　　　　記 
 １）請求項１の「前記伝送器から無線で受け取ったエネルギーを使用して第1のエネルギー蓄積デバイスおよび第2のエネルギー蓄積デバイスを充電するステップ」との訳語は、「および」が、第1のエネルギー蓄積デバイスと第2のエネルギー蓄積デバイスとが接続されて単に両者が充電可能であればよいのか、それとも、それぞれに対する充電が同時に行われることを意味するのか不明であるため明確でない。 
　つまり、請求項の記載から直接的に明らかなように、第1のエネルギー蓄積デバイスと第2のエネルギー蓄積デバイスとが接続されて単に両者が充電可能であればよいとした場合には、発明の詳細な説明に記載されたいずれの実施の形態に対応するのか不明である。　そうすると、「および」の記載は、異なる二つのエネルギー蓄積デバイスに同時に充電を行うことを意味すると解するほかないが、例えば、レシーバに単に２つのエネルギー蓄積デバイスを接続したとしても、エネルギー蓄積デバイス同士の端子電圧が全く同一でないかぎり、端子電圧の低い方のエネルギー蓄積デバイスにしか充電を行うことはできず、端子電圧の高い方のエネルギー蓄積デバイスが、端子電圧の低い方のエネルギー蓄積デバイスへ放電してしまうことを防ぐ必要も生じるものであるから、エネルギー蓄積デバイスの定格電圧や容量等の差異にもかかわらず同時に充電を可能とするための具体的な手段（なお、図８のモジュール７１４に、具体的な回路構成等は示されていない）が不可欠といえるが、請求項１には、何らそのような構成は示されていないため、同時に充電を行うことが明らかといえず、請求項の記載は明確でない。 
　また、上記請求項の記載に関連し、発明の詳細な説明の段落００５６には、「電力モジュール714は、蓄電池708へ輸送され、また、蓄電池708から輸送されるエネルギーの量を制御し、また、コントローラ762を介してエネルギー蓄積デバイス706へ輸送されるエネルギーの量を制御するように構成することができる。一例として、電力モジュール714は、レシーバ704から受け取るエネルギーの特定の百分率(例えば25%)を蓄電池708へ輸送し、また、レシーバ704から受け取るエネルギーの特定の百分率(例えば75%)をコントローラ762を介してエネルギー蓄積デバイス706へ輸送するように構成することができる。」と記載されている。 
　しかし、発明の詳細な説明には、電力モジュール714が、レシーバ704から受け取るエネルギーの特定の百分率(例えば25%)を蓄電池708へ輸送し、また、レシーバ704から受け取るエネルギーの特定の百分率(例えば75%)をエネルギー蓄積デバイス706へ輸送することをどのようにすれば実現できるのかについての具体的な記載、例えば、電力モジュール714の具体的な回路構成及びその動作説明はない。 
　したがって、発明の詳細な説明の記載は、請求項１の「前記伝送器から無線で受け取ったエネルギーを使用して第1のエネルギー蓄積デバイスおよび第2のエネルギー蓄積デバイスを充電するステップ」の実施をすることができる程度に明確かつ十分に記載されたものではない。 
２）請求項１の「前記第1のエネルギー蓄積デバイスの充電レベルが第1の閾値レベルに到達すると、前記第1のエネルギー蓄積デバイスから前記第2のエネルギー蓄積デバイスへエネルギーを輸送するとともに、前記伝送器から無線で受け取ったエネルギーを使用して前記第2のエネルギー蓄積デバイスを充電するステップ」の訳語は、「とともに」が、第1のエネルギー蓄積デバイスからエネルギーを輸送することと、伝送器から無線で受け取ったエネルギーを使用して充電することとの双方が、第2のエネルギー蓄積デバイスに対して可能とされていることで足りるのか、それとも、エネルギーの輸送と、伝送器から無線で受け取ったエネルギーからの充電とが同時に行われることを意味するのか不明であるため明確でない。 
　請求項の記載から直接的に明らかなことは、第1のエネルギー蓄積デバイスの充電レベルが第1の閾値レベルに到達すると、第1のエネルギー蓄積デバイスから第2のエネルギー蓄積デバイスへエネルギーを輸送することと、伝送器から無線で受け取ったエネルギーを使用して第2のエネルギー蓄積デバイスを充電することの双方を行うことであるが、例えば、二つの電源を並列接続して給電する場合に、二つの電源同士が全く等しい電圧でない限り、電圧が高い方からしか給電がなされないことからも明らかなように、第1のエネルギー蓄積デバイスからのエネルギーの輸送と、伝送器から無線で受け取ったエネルギーからの充電とが同時に行われることを意味するものとはいえない。 
　一方、「とともに」が、エネルギーの輸送と、伝送器から無線で受け取ったエネルギーからの充電とが同時に行われることを意味するとした場合、第1のエネルギー蓄積デバイスから第2のエネルギー蓄積デバイスへエネルギーを輸送することと、伝送器から無線で受け取ったエネルギーを使用して第2のエネルギー蓄積デバイスを充電することの双方が同時に行われるように、輸送とともに充電を行うことを可能とするための具体的な手段（なお、図８のモジュール７１４に、具体的な回路構成等は示されていない）が不可欠であるといえるが、請求項１には、何らそのような構成は示されていないため、輸送と充電とを同時に行うことが明らかといえず、請求項の記載は明確でない。 
　また上記請求項の記載に関連し、発明の詳細な説明の段落００５３には、「コントローラ762の入力の電圧レベルおよび/または電流レベルが閾値レベルに到達すると、蓄電池708および恐らくはレシーバ704からエネルギー蓄積デバイス706へコントローラ762を介してエネルギーを移送することができる。言い換えると、電力モジュール714は、蓄電池708の充電レベルが閾値に到達すると、蓄電池708および恐らくはレシーバ704からエネルギー蓄積デバイス706へエネルギーを移送するように構成することができる。」と記載されている。 
　しかし、発明の詳細な説明には、電力モジュール714が、蓄電池708の充電レベルが閾値に到達した際、蓄電池708およびレシーバ704からエネルギー蓄積デバイス706へ、どのようにすれば同時にエネルギーを移送することができるのかについての具体的な記載、例えば、電力モジュール714の具体的な回路構成及びその動作説明はない。 
　したがって、発明の詳細な説明の記載は、請求項１の「前記第1のエネルギー蓄積デバイスの充電レベルが第1の閾値レベルに到達すると、前記第1のエネルギー蓄積デバイスから前記第2のエネルギー蓄積デバイスへエネルギーを輸送するとともに、前記伝送器から無線で受け取ったエネルギーを使用して前記第2のエネルギー蓄積デバイスを充電するステップ」の実施をすることができる程度に明確かつ十分に記載されたものではない。 
  
３）上記１）、２）は、請求項１を引用する請求項２〜９についても同様である。 
４）上記１）と同様、請求項１０の「伝送器から無線で受け取ったエネルギーを使用して第1のエネルギー蓄積デバイスおよび第2のエネルギー蓄積デバイスを充電するための手段」は明確でなく、発明の詳細な説明の記載は、請求項１０に係る発明の実施をすることができる程度に明確かつ十分に記載されたものではない。 
５）上記２）と同様、請求項１０の「前記第1のエネルギー蓄積デバイスの充電レベルが第1の閾値レベルに到達すると、前記第1のエネルギー蓄積デバイスから前記第2のエネルギー蓄積デバイスへエネルギーを輸送するとともに、前記伝送器から無線で受け取ったエネルギーを使用して前記第2のエネルギー蓄積デバイスを充電するための手段」は明確でなく、発明の詳細な説明の記載は、請求項１０に係る発明の実施をすることができる程度に明確かつ十分に記載されたものではない。 
６）上記４）、５）は、請求項１０を直接又は間接に引用する請求項１１〜１６についても同様である。 
７）上記１）と同様、請求項１７の「伝送器から無線電力を受け取るように構成されたレシーバと、コントローラであって、前記伝送器から無線で受け取った電力を使用して、前記第1のエネルギー蓄積デバイスおよび前記第2のエネルギー蓄積デバイスを充電し」は明確でなく、発明の詳細な説明の記載は、請求項１７に係る発明の実施をすることができる程度に明確かつ十分に記載されたものではない。 
８）上記２）と同様、請求項１７の「前記第1のエネルギー蓄積デバイスの充電レベルが第1の閾値レベルに到達すると、前記第1のエネルギー蓄積デバイスから前記第2のエネルギー蓄積デバイスへエネルギーを輸送するとともに、前記伝送器から無線で受け取ったエネルギーを使用して前記第2のエネルギー蓄積デバイスを充電し」は明確でなく、発明の詳細な説明の記載は、請求項１７に係る発明の実施をすることができる程度に明確かつ十分に記載されたものではない。 
９）上記７）、８）は、請求項１７を直接又は間接に引用する請求項１８〜２９についても同様である。」 
（２）最後の拒絶の理由についての当審の判断
（ア）請求項１の「前記伝送器から無線で受け取ったエネルギーを使用して第1のエネルギー蓄積デバイスおよび第2のエネルギー蓄積デバイスを充電するステップ」は、第1のエネルギー蓄積デバイスと第2のエネルギー蓄積デバイスとが受け取ったエネルギーを使用して単に第1のエネルギー蓄積デバイスおよび第2のエネルギー蓄積デバイスが充電可能であればよいことを意味するのか、それとも、第1のエネルギー蓄積デバイスおよび第2のエネルギー蓄積デバイスに対する充電は並行して同時に実施されることを意味するのか特定できないため明確でない。 
　仮に、「第1のエネルギー蓄積デバイスおよび第2のエネルギー蓄積デバイスを充電する」ことが、二つのエネルギー蓄積デバイスへの充電が並行して同時に実施されることを意味するとすると、電圧も容量も特定されていない二つのエネルギー蓄積デバイスへ並行して同時に充電を実行するには、第1のエネルギー蓄積デバイスおよび第2のエネルギー蓄積デバイスそれぞれの電圧や容量に対応して充電を行うような装置がなければ実行不可能であるが、請求項１には、何らそのような構成は示されていないため、充電が並行して同時に実施されることが明らかといえず、請求項の記載は明確でない。
　なお、「第1のエネルギー蓄積デバイスおよび第2のエネルギー蓄積デバイスを充電する」ことが、単に第1のエネルギー蓄積デバイスと第2のエネルギー蓄積デバイスの両者に充電がなされればよいことであるとしても、電圧も容量も特定されていない二つのエネルギー蓄積デバイスの両者に充電を実行するには、第1のエネルギー蓄積デバイスおよび第2のエネルギー蓄積デバイスそれぞれの電圧や容量に対応して充電を行うような装置がなければ実行不可能であることに差異はなく、請求項１には、何らそのような構成は示されていないため、第1のエネルギー蓄積デバイスと第2のエネルギー蓄積デバイスとの両者に充電できるのかも明らかといえず、請求項１の記載は明確でない。
　請求項１０、１７も同様である。
　発明の詳細な説明の段落【００５６】を参照すると、「電力モジュール714は、蓄電池708へ輸送され、また、蓄電池708から輸送されるエネルギーの量を制御し、また、コントローラ762を介してエネルギー蓄積デバイス706へ輸送されるエネルギーの量を制御するように構成することができる。一例として、電力モジュール714は、レシーバ704から受け取るエネルギーの特定の百分率(例えば25%)を蓄電池708へ輸送し、また、レシーバ704から受け取るエネルギーの特定の百分率(例えば75%)をコントローラ762を介してエネルギー蓄積デバイス706へ輸送するように構成することができる。」と記載されているが、電力モジュール714が、レシーバ704から受け取るエネルギーの特定の百分率(例えば25%)を蓄電池708へ輸送すること、及び、レシーバ704から受け取るエネルギーの特定の百分率(例えば75%)をエネルギー蓄積デバイス706へ輸送することを、どの様にして行われているのかについての具体的な開示（電力モジュール714の具体的な回路構成及びその動作説明）はなく、どの様にエネルギーの輸送を制御するのか、どの様にすればエネルギーを特定の率となるよう制御できるのかは不明である。
（イ）請求項１の「前記第1のエネルギー蓄積デバイスの充電レベルが第1の閾値レベルに到達すると、前記第1のエネルギー蓄積デバイスから前記第2のエネルギー蓄積デバイスへエネルギーを輸送するとともに、前記伝送器から無線で受け取ったエネルギーを使用して前記第2のエネルギー蓄積デバイスを充電するステップ」は、第1のエネルギー蓄積デバイスから第2のエネルギー蓄積デバイスへエネルギーを輸送することと伝送器から無線で受け取ったエネルギーを使用して第2のエネルギー蓄積デバイスを充電することの双方が行われることで足りるのか、第1のエネルギー蓄積デバイスから第2のエネルギー蓄積デバイスへエネルギーを輸送することと、伝送器から無線で受け取ったエネルギーを使用して第2のエネルギー蓄積デバイスを充電することとが並行して同時に行われることを意味するのか特定できないため明確でない。 
　仮に、第1のエネルギー蓄積デバイスから第2のエネルギー蓄積デバイスへエネルギーを輸送することと、伝送器から無線で受け取ったエネルギーを使用して第2のエネルギー蓄積デバイスを充電することとが並行して同時に行われることを意味するとした場合、一般に、伝送器から無線で受け取ったエネルギーは、輸送されるエネルギーと比較して、常に大きな変動や断続が生じるものを含み、この場合、第1のエネルギー蓄積デバイスから第2のエネルギー蓄積デバイスへエネルギーを輸送することと、伝送器から無線で受け取ったエネルギーを使用して第2のエネルギー蓄積デバイスを充電することの双方を同時に行うためには、エネルギーを輸送するとともに、変動や断続が生じるエネルギーによる充電を継続するための具体的な手段が不可欠であり、請求項１には、伝送器から無線で受け取ったエネルギーを継続させるための構成は何ら示されておらず、請求項１の記載は明確でない。
　仮に、第1のエネルギー蓄積デバイスから第2のエネルギー蓄積デバイスへエネルギーを輸送することと伝送器から無線で受け取ったエネルギーを使用して第2のエネルギー蓄積デバイスを充電することの双方が行われる場合、第1のエネルギー蓄積デバイスから第2のエネルギー蓄積デバイスへエネルギーを輸送する手段と、伝送器から無線で受け取ったエネルギーを使用して第2のエネルギー蓄積デバイスを充電する手段の双方を単に第2のエネルギー蓄積デバイスへ接続しても、一般に、二つのエネルギー源から一つの対象に給電する場合には、電圧が高い方からしか給電がなされず、エネルギー源同士が全く等しい電圧でない限り双方からの給電は行われないが、そのようなことは通常起こり得ないことであるから、第1のエネルギー蓄積デバイスから第2のエネルギー蓄積デバイスへエネルギーを輸送する手段と、伝送器から無線で受け取ったエネルギーを使用して第2のエネルギー蓄積デバイスを充電する手段とから、第2のエネルギー蓄積デバイスへエネルギーの輸送と充電とを可能とするための具体的な手段が不可欠であり、請求項１には、エネルギーの輸送と充電との双方を行うための構成は何ら示されておらず、請求項１の記載は明確でない。
　請求項１０、１７も同様である。
　発明の詳細な説明の段落【００５３】には、「コントローラ762の入力の電圧レベルおよび/または電流レベルが閾値レベルに到達すると、蓄電池708および恐らくはレシーバ704からエネルギー蓄積デバイス706へコントローラ762を介してエネルギーを移送することができる。言い換えると、電力モジュール714は、蓄電池708の充電レベルが閾値に到達すると、蓄電池708および恐らくはレシーバ704からエネルギー蓄積デバイス706へエネルギーを移送するように構成することができる。」と記載されているが、蓄電池708およびレシーバ704からエネルギー蓄積デバイス706へエネルギーを移送するということが、具体的にどの様な手段を用いて行われるかについて開示されていない。
（ウ）したがって請求項１−２９の記載は明確ではないので、特許法第３６条第６項第２号に規定する要件を満たしておらず、かつ、発明の詳細な説明の記載は、当業者がその実施をすることができる程度に明確かつ十分に記載したものではないので、特許法第３６条第４項第１号に規定する要件を満たしていない。
（３）当審の平成２７年１２月２２日付けの拒絶の理由Ｂについて。
　当審で平成２７年１２月２２日付で通知した拒絶の理由Ｂの概要は以下のとおりである。
「Ｂ．この出願の下記の請求項に係る発明は、その出願前日本国内又は外国において頒布された下記の刊行物に記載された発明に基いて、その出願前にその発明の属する技術の分野における通常の知識を有する者が容易に発明をすることができたものであるから、特許法第２９条第２項の規定により特許を受けることができない。
　　　　　　　　記（引用刊行物については引用刊行物等一覧参照）
請求項１−３４
　刊行物１：特に、【００４３】〜【００５２】【図４】等、本願請求項１の「伝送器（振動エネルギー放射装置２）から無線電力を受け取るステップ」と、
「伝送器から無線で受け取ったエネルギーを使用して第1のエネルギー蓄積デバイス（電気二重層コンデンサ３４１）を充電するステップ」と、
「第1のエネルギー蓄積デバイスから第2のエネルギー蓄積デバイス（二次電池３４３）へエネルギーを輸送するステップ」とを含む「電力をデバイスに供給するための方法」に相当するものを前提構成として参照。
　このような電力供給方法は、周知手法でもある。他にも、
　刊行物２：特に、【００２１】〜【００２２】【図２】等（「非接触給電装置１２」は本願請求項１の「伝送器」に相当し、以下同様に、「電気二重層コンデンサ２５」は、「第1のエネルギー蓄積デバイス」に、「携帯機器３」の「蓄電池」は、「第2のエネルギー蓄積デバイス」に相当する。）参照。
　刊行物３：特に、【００２８】〜【００４０】【図２】等（「給電装置１１」は本願請求項１の「伝送器」に相当し、以下同様に、「電気二重層コンデンサ２７」は、「第1のエネルギー蓄積デバイス」に、「バッテリ２９」は、「第2のエネルギー蓄積デバイス」に相当する。）参照。
　刊行物４：特に、【００２８】【図３】【図４】等、本願請求項１の「第1のエネルギー蓄積デバイス（第1のエネルギー貯蔵手段）の充電レベルが第1の閾値レベルに到達する（「利用可能な充電電圧が存在する場合」、Ｓ４０２ＹＥＳ）と、前記第1のエネルギー蓄積デバイスから第2のエネルギー蓄積デバイス（電池３０８）へエネルギーを輸送（「充電」）するステップと、
　前記第1のエネルギー蓄積デバイスの前記充電レベルが前記第2の閾値レベル未満に降下する（「利用可能な電圧が不足している」、Ｓ４０２ＮＯ）と、前記第1のエネルギー蓄積デバイスから前記第2のエネルギー蓄積デバイスへのエネルギーの輸送を終了する（「充電フラグはオフに設定され」る）ステップと
　を含む方法。」に相当する第2のエネルギー蓄積デバイスへのエネルギーの輸送制御手法参照。
　他にも、
　刊行物５：特に、【００１８】〜【００１９】【００２２】〜【００３２】【図１】【図５】等、本願請求項２の「前記第1のエネルギー蓄積デバイス（コンデンサ３）の充電レベルが第1の閾値レベルに到達する（「第1の電圧Ｖ１を越える」）と、前記第1のエネルギー蓄積デバイスから第2のエネルギー蓄積デバイス（バッテリ１１）へエネルギーを輸送する（「コンデンサ３に蓄積された電力が・・バッテリ１１に移送されてバッテリ１１を充電する」）ステップ」と、
「【請求項２】・・前記第１の閾値レベルの値より小さい値を有する第２の閾値レベル未満に降下する（「第２の電圧Ｖ２（Ｖ２＜Ｖ１）を下まわる」）と、前記第１のエネルギー蓄積デバイスから前記第２のエネルギー蓄積デバイスへのエネルギーの輸送を終了する（「コンデンサ３からバッテリ１１への移送が停止する」）ステップ」と「を含む方法。」に相当する第２のエネルギー蓄積デバイスへのエネルギーの輸送手法参照。
　第１のエネルギー蓄積デバイスの充電レベルが第１の閾値レベルに応じて、輸送／輸送終了する、第２のエネルギー蓄積デバイスへのエネルギーの輸送制御手法は、周知手法でもある。他にも、
　刊行物６：特に、【００２８】〜【００３２】【図１】【図８】等参照。
　刊行物１〜３記載の第２のエネルギー蓄積デバイスへのエネルギーの輸送を、刊行物４〜６記載の周知の第２のエネルギー蓄積デバイスへのエネルギーの輸送制御手法で制御することは、当業者が容易になし得る事と認める。
　なお、刊行物４においては、第２のエネルギー蓄積デバイス（電池３０８）の電圧が９０％以上の時にエネルギー輸送を行わない制御が併用されており、刊行物６においては、第２のエネルギー蓄積デバイス（リチウムイオン二次電池９２）が予め決められた充電電圧に到達すると定電圧充電モードを選択する制御が併用されているが、それらの制御を併用するか否かは、当業者が適宜選択し得ることと認められる。（例えば、刊行物５の【００１８】〜【００１９】【００２２】〜【００３２】においては、第２のエネルギー蓄積デバイス（バッテリ１１）の充電状態に対応した制御について言及せずに、第1のエネルギー蓄積デバイスから第２のエネルギー蓄積デバイスへのエネルギーの輸送制御手法が説明されている。）
　　　　　　　　　　　　引　用　刊　行　物　等
１．特開２００１−１３６６８４号公報
２．特開２００３−２９９２５５号公報
３．特開２００１−２５１０４号公報
４．特表２００７−５２６７３０号公報
５．特開平８−７９９８４号公報
６．特開２００５−３２８６６２号公報」
（４）当審の平成２７年１２月２２日付け拒絶の理由Ｂについての判断
（４−１）本願の請求項１０に係る発明
　本願の請求項１０に係る発明は、上記した平成２８年４月１日付手続補正書の特許請求の範囲の請求項１０に記載された事項により特定されるとおりのものである。
　なお、請求項１０の「前記伝送器から無線で受け取ったエネルギーを使用して第1のエネルギー蓄積デバイスおよび第2のエネルギー蓄積デバイスを充電する」は、第1のエネルギー蓄積デバイスと第2のエネルギー蓄積デバイスとが受け取ったエネルギーを使用して単に第1のエネルギー蓄積デバイスおよび第2のエネルギー蓄積デバイスが充電可能であればよい（充電が並行して同時に行われることまで意味しない）と解釈する。
　また、請求項１０の「前記第1のエネルギー蓄積デバイスの充電レベルが第1の閾値レベルに到達すると、前記第1のエネルギー蓄積デバイスから前記第2のエネルギー蓄積デバイスへエネルギーを輸送するとともに、前記伝送器から無線で受け取ったエネルギーを使用して前記第2のエネルギー蓄積デバイスを充電する」は、第1のエネルギー蓄積デバイスから第2のエネルギー蓄積デバイスへエネルギーを輸送することと伝送器から無線で受け取ったエネルギーを使用して第2のエネルギー蓄積デバイスを充電することの双方が行われる（第1のエネルギー蓄積デバイスから第2のエネルギー蓄積デバイスへエネルギーを輸送することと、伝送器から無線で受け取ったエネルギーを使用して第2のエネルギー蓄積デバイスを充電することとが並行して同時に行われることまで意味しない）と解釈する。
（４−２）引用例
ア．当審の平成２７年１２月２２日付け拒絶の理由に刊行物１として引用された特開２００１−１３６６８４号公報（以下、「引用例１」という。）には、図面と共に、以下の事項が記載されている（下線は当審で付加。）。
ａ「図２は、応答装置３の配置構成の一例を示す説明図である。
　同図に示す
応答装置３は、薄型のカード状に形成
基板３７０
の周囲に
枠状の振動エネルギー受信コイル３１０を配置して構成している。
ｂ「本例の照合装置によると、
応答装置は、エネルギー放射装置で放射された振動エネルギーを受信するコイルと
振動エネルギーを受信するコイルで受信した振動エネルギーを電力として蓄える電気二重層コンデンサを備えた
ｃ「次に、本発明の他の具体例を図４乃至図５に基づいて説明する。
　これらの図に示すように、本例の電源装置は、
電圧調整器３４２を介して電気二重層コンデンサ３４１に接続された二次電池３４３を備え、
　すなわち、電源装置は、
振動エネルギーコイル３１０で受信した振動エネルギーを電力として蓄える電気二重層コンデンサ３４１と、電気二重層コンデンサ３４１の出力電圧を調整する電圧調整器３４２と、電圧調整器３４２を介して電気二重層コンデンサ３４１に接続された二次電池３４３とを備え、
　
二次電池３２０は、
電気二重層コンデンサ３４１に蓄えられた電力によってチャージされる。
　本例の場合、この二次電池３２０としては、鉛電池、ニッカド電池、ニッケル水素電池、リチウム電池のいずれかを用いている。
　また、電気二重層コンデンサ３４１の出力電圧は、電圧調整器３４２により、二次電池３４３の電圧よりも高く設定される。
　本例の
電圧調整器３４２は、
電気二重層コンデンサ３４１の出力を
変換し
電圧を
設定
　従って、
二次電池３４３は、電気二重層コンデンサ３４１に蓄えられた電力によって
チャージされ、
　以上説明したように、本例の電源装置によると、空間に伝わる
振動エネルギーを受信するコイルと、コイルで受信した振動エネルギーを電力として蓄える電気二重層コンデンサと、電気二重層コンデンサの出力電圧を調整する電圧調整器と、電圧調整器を介して電気二重層コンデンサに接続された二次電池とを備え
電気二重層コンデンサに蓄えられた電力をもって二次電池をチャージする
ｄ　図５には、上記ａの記載を参照すると、薄型のカード状に形成された応答装置３の外形を形作る基板３７０の周囲に、振動エネルギー受信コイル３１０を枠状に配置した構成を看て取ることができる。
ｅ　図４の回路、また、上記ｃの記載を参照すると、エネルギー放射装置から受信した振動エネルギーを電気二重層コンデンサ３４１に電力として蓄えるための回路手段、また、電気二重層コンデンサ３４１の出力を変換し、電圧を調整する電圧調整器３４２を介して二次電池３４３をチャージするための回路手段を看て取ることができる。
　上記記載事項からみて、引用例１には、
「応答装置３であって、
　薄型のカード状に形成された応答装置３の外形を形作る基板３７０の周囲に、枠状に配置された、エネルギー放射装置から振動エネルギーを受信する振動エネルギー受信コイル３１０と、
　エネルギー放射装置から受信した振動エネルギーを電気二重層コンデンサ３４１に電力として蓄える回路手段と、
　電気二重層コンデンサ３４１の出力を変換し、電圧を調整する電圧調整器３４２を介して二次電池３４３をチャージする回路手段とを有する、応答装置３。」の発明（以下、「引用発明」という。）が記載されている。
イ．当審の平成２７年１２月２２日付け拒絶の理由に刊行物５として引用された特開平８−７９９８４号公報（以下、「引用例２」という。）には、図面と共に、以下の事項が記載されている（下線は当審で付加。）。
ａ「以下、本発明の実施例について説明する。ここではカメラに組込む充電回路を念頭に置いて説明する。図１は、本発明の一実施例の充電回路を示す回路図である。複数個直列に接続された
太陽電池１
電流Ｉ
Ｐ
が発生し
コンデンサ３に電荷が蓄積され
コンデンサ３の端子電圧Ｖ
Ｃ
Ｖ
Ｃ
が設定の第１の電圧Ｖ
１
を越えると
発振回路５が発振を開始し、
コンデンサ３に蓄積された電力が昇圧され
バッテリ１１に移送されてバッテリ１１を充電する。
　
コンデンサ３の端子電圧Ｖ
Ｃ
が所定の第２の電圧Ｖ
２
（Ｖ
２
＜Ｖ
１
）を下まわると、
発振回路５の発振が停止し、
コンデンサ３からバッテリ１１への電力の移送が停止する。
　上記記載事項からみて、引用例２には「太陽電池１が発生した電流ＩＰによってコンデンサ３に電荷が蓄積され、コンデンサ３の端子電圧ＶＣが設定の第１の電圧Ｖ１を越えると、発振回路５が発振を開始し、コンデンサ３に蓄積された電力が昇圧され、バッテリ１１に移送され、コンデンサ３の端子電圧ＶＣが所定の第２の電圧Ｖ２（Ｖ２＜Ｖ１）を下まわると、発振回路５の発振が停止し、コンデンサ３からバッテリ１１への電力の移送が停止する」技術が記載されている。
ウ．当審の平成２７年１２月２２日付け拒絶の理由に刊行物６として引用された特開２００５−３２８６６２号公報（以下、「引用例３」という。）には、図面と共に、以下の事項が記載されている（下線は当審で付加。）。
ａ「図１は、この発明の第１の実施例である電源装置の電気的構成を示す回路図である。
　この例の電源装置は、同図に示すように、太陽電池モジュール１と、第１逆流防止素子２と、電流制限素子３と、過電圧保護素子４と、電気二重層キャパシタ５と、昇圧型ＤＣ−ＤＣコンバータ６と、充電オン／オフ制御回路７と、二次電池充電制御回路８と、二次電池パック９とから構成されている。」（【００１５】）
ｂ「図８は、図１の電源装置におけるリチウムイオン二次電池９２の充電時の動作を説明するタイムチャート、図９は、リチウムイオン二次電池９２の充電特性を示す図、及び図１０が電気二重層キャパシタ５の充電特性を示す図である。
　これらの図を参照して、この例の電源装置に用いられる制御方法について説明する。
　太陽電池モジュール１に太陽光が照射されると、たとえば図２に示す日照強度に対する出力特性に基づく同
太陽電池モジュール１の発電動作により、
電気二重層キャパシタ５に対して蓄電が開始される。
　時刻ｔ１において、
電気二重層キャパシタ５の充電電圧Ｖｅｄｌｃが閾値電圧ＶＨに到達すると、
ゲートスイッチ８２がオン状態となってリチウムイオン二次電池９２に対する充電動作が開始する。
　このとき、リチウムイオン二次電池９２の充電電圧に基づいて、充電方式選択スイッチ８３の図示しない充電電圧検出手段により定電流又は定電圧の充電モードが選択される。
たとえば、充電モードが定電流充電モードの場合、充電方式選択スイッチ８３は、接点ｚと接点ｘとが接続され、予め設定された電流値Ｉｃｃでリチウムイオン二次電池９２が充電される。このとき、リチウムイオン二次電池９２への充電電流Ｉｃｈｇは、太陽電池モジュール１の出力インピーダンスでは供給できないほどの大きい電流値なので、電気二重層キャパシタ５が放電モードとなり、放電時間Ｔｏｎ１において、同電気二重層キャパシタ５の充電電圧Ｖｅｄｌｃが閾値電圧ＶＨから
閾値電圧ＶＬへ降下して
　時刻ｔ２において、
電気二重層キャパシタ５の充電電圧Ｖｅｄｌｃが
閾値電圧ＶＬに到達すると、
ゲートスイッチ８２がオフ状態となる。
リチウムイオン二次電池９２への充電動作が停止
　以上の動作が繰り返されることにより、リチウムイオン二次電池９２が周期的に充電される。」（【００２８】〜【００３２】）
　上記記載事項からみて、引用例３には「電気二重層キャパシタ５に対して太陽電池モジュール１の発電により蓄電が開始されて電気二重層キャパシタ５の充電電圧Ｖｅｄｌｃが閾値電圧ＶＨに到達すると、ゲートスイッチ８２がオン状態となってリチウムイオン二次電池９２に対する充電動作が開始し、電気二重層キャパシタ５の充電電圧Ｖｅｄｌｃが降下して閾値電圧ＶＬに到達すると、ゲートスイッチ８２がオフ状態となり、リチウムイオン二次電池９２への充電動作が停止する」技術が記載されている。
（４−３）対比
　本願発明の「デバイス」は、本願発明の「電子デバイス」を含み、電子機器、電子装置等一般を意味するものである。
　引用発明の「応答装置３」は、本願発明の「デバイス」に相当する。
　引用発明の「基板３７０」によって形作られる「薄型のカード状に形成された応答装置３の外形」は、本願発明の「電子デバイスに適応するように構成されたハウジング」に相当する。
　引用発明の「周囲に、枠状に配置された」態様は、本願発明の「結合された」態様に相当する。
　引用発明の「エネルギー放射装置」は、本願発明の「伝送器」に相当する。
　引用発明の「振動エネルギー受信コイル３１０」は、本願発明の「無線電力を受け取るための手段」に相当する。
　引用発明の「受信した振動エネルギーを」用いる態様は、本願発明の「無線で受け取ったエネルギーを使用して」に相当する。
　引用発明の「電気二重層コンデンサ３４１」、「二次電池３４３」は、それぞれ、本願発明の「第1のエネルギー蓄積デバイス」、「第2のエネルギー蓄積デバイス」に相当する。
　引用発明の「電気二重層コンデンサ３４１に電力として蓄える回路手段」と、本願発明の「第1のエネルギー蓄積デバイスと第2のエネルギー蓄積デバイスを充電するための手段」とは、第1のエネルギー蓄積デバイスを充電する手段である点において共通する。
　引用発明の「電気二重層コンデンサ３４１の出力を変換し、電圧を調整する電圧調整器３４２を介して二次電池３４３をチャージする回路手段」と、本願発明の「前記第1のエネルギー蓄積デバイスの充電レベルが第1の閾値レベルに到達すると、前記第1のエネルギー蓄積デバイスから前記第2のエネルギー蓄積デバイスへエネルギーを輸送するとともに、前記伝送器から無線で受け取ったエネルギーを使用して前記第2のエネルギー蓄積デバイスを充電するための手段」とは、第1のエネルギー蓄積デバイスから前記第2のエネルギー蓄積デバイスへエネルギーを輸送し、前記第2のエネルギー蓄積デバイスを充電するための手段である点において共通する。
　したがって、両者は、
「デバイスであって、
　電子デバイスに適応するように構成されたハウジングに結合された、伝送器から無線電力を受け取るための手段と、
　前記伝送器から無線で受け取ったエネルギーを使用して第1のエネルギー蓄積デバイスを充電するための手段と、
　前記第1のエネルギー蓄積デバイスから第2のエネルギー蓄積デバイスへエネルギーを輸送し、前記第2のエネルギー蓄積デバイスを充電するための手段と、
　を備えるデバイス。」の点で一致し、以下の点で相違している。
〔相違点〕
〔相違点１〕
　伝送器から無線で受け取ったエネルギーを使用して第1のエネルギー蓄積デバイスを充電するための手段に関し、本願発明は「前記伝送器から無線で受け取ったエネルギーを使用して第1のエネルギー蓄積デバイスおよび第2のエネルギー蓄積デバイスを充電するための手段」であるのに対し、引用発明は、エネルギー放射装置から受信した振動エネルギーを電気二重層コンデンサ３４１に電力として蓄える回路手段である点。
〔相違点２〕
　第1のエネルギー蓄積デバイスから第2のエネルギー蓄積デバイスへエネルギーを輸送することに関し、本願発明は「前記第1のエネルギー蓄積デバイスの充電レベルが第1の閾値レベルに到達すると」エネルギーを輸送するものであるのに対し、引用発明は、このような特定が無い点、また、第2のエネルギー蓄積デバイスを充電することに関し、本願発明は「伝送器から無線で受け取ったエネルギーを使用する」ものであるのに対し、引用発明には、そのような特定が無い点。
〔相違点３〕
　本願発明は「前記第1のエネルギー蓄積デバイスの前記充電レベルが前記第1の閾値レベル未満に降下すると、前記第1のエネルギー蓄積デバイスから前記第2のエネルギー蓄積デバイスへのエネルギーの輸送を終了するための手段」を備えるのに対し、引用発明は、そのような手段を有していない点。
（４−４）判断
相違点１について検討する。
　引用発明は、エネルギー放射装置（「伝送器」に相当）から受信した振動エネルギーを、電気二重層コンデンサ３４１（「第1のエネルギー蓄積デバイス」に相当）に電力として蓄え、その電力で二次電池３４３（「第2のエネルギー蓄積デバイス」に相当）を充電するものであるから、エネルギー放射装置から受信した振動エネルギーを使用して、電気二重層コンデンサ３４１と二次電池３４３とを充電するものである。
　したがって、引用発明の「エネルギー放射装置から受信した振動エネルギーを電気二重層コンデンサ３４１に電力として蓄える回路手段と、電気二重層コンデンサ３４１の出力を変換し、電圧を調整する電圧調整器３４２を介して二次電池３４３をチャージする回路手段」は、実質的に本願発明の「前記伝送器から無線で受け取ったエネルギーを使用して第1のエネルギー蓄積デバイスおよび第2のエネルギー蓄積デバイスを充電するための手段」に相当し、相違点１は実質的な相違ではない。
相違点２について検討する。
　引用発明の二次電池３４３（「第2のエネルギー蓄積デバイス」に相当）にチャージされるエネルギーは、エネルギー放射装置から受信した振動エネルギーであるといえる。
　そうすると、引用発明の「二次電池３４３をチャージする回路手段」には、本願発明の「伝送器から無線で受け取ったエネルギーを使用」することを含むものであり、引用発明の「二次電池３４３をチャージする回路手段」は、本願発明の「伝送器から無線で受け取ったエネルギーを使用して前記第2のエネルギー蓄積デバイスを充電するための手段」に相当し、実質的な相違ではない。
　引用発明は、エネルギー放射装置（「伝送器」に相当）から受信した振動エネルギーを電気二重層コンデンサ３４１（「第1のエネルギー蓄積デバイス」に相当）に電力として蓄える際、電気二重層コンデンサ３４１の電圧は零から徐々に上昇してゆくから、あるレベルに到達した時点で、電気二重層コンデンサ３４１の出力を変換し、電圧を調整する電圧調整器３４２を介して二次電池３４３（「第2のエネルギー蓄積デバイス」に相当）をチャージする（「エネルギーを輸送する」に相当）という動作が開始されるものといえる。
　第1のエネルギー蓄積デバイスの充電レベルがあるレベルに到達した時点でエネルギーを輸送する動作が開始されることは、例えば、引用例２において「太陽電池１が発生した電流ＩＰ 」を受け取り充電を行う際に、「コンデンサ３（「第1のエネルギー蓄積デバイス」に相当）の端子電圧ＶＣ（「充電レベル」に相当）が設定の第１の電圧Ｖ１（「第1の閾値レベル」に相当）を越えると、発振回路５が発振を開始し、コンデンサ３に蓄積された電力が昇圧され、バッテリ１１（「第2のエネルギー蓄積デバイス」に相当）に移送される（「エネルギーを輸送する」に相当）」ことが記載され、また、引用例３には「太陽電池モジュール１」の発電したエネルギーを受け取り充電を行う際に、「電気二重層キャパシタ５（「第1のエネルギー蓄積デバイス」に相当）の充電電圧Ｖｅｄｌｃ（「充電レベル」に相当）が閾値電圧ＶＨ（「第1の閾値レベル」に相当）に到達すると、ゲートスイッチ８２がオン状態となってリチウムイオン二次電池９２（「第2のエネルギー蓄積デバイス」に相当）に対する充電動作が開始（「エネルギーを輸送する」に相当）される」ことが記載されているように周知の技術であるといえる。
　したがって、引用発明に、例えば、引用例２、３に記載されているような周知の技術を適用することで、本願発明の「前記第1のエネルギー蓄積デバイスの充電レベルが第1の閾値レベルに到達すると」エネルギーを輸送することは、当業者が容易に想到し得たものである。
相違点３について検討する。
　引用発明は、電気二重層コンデンサ３４１（「第1のエネルギー蓄積デバイス」に相当）の出力を変換し、電圧を調整する電圧調整器３４２を介して二次電池３４３（「第2のエネルギー蓄積デバイス」に相当）をチャージする（「エネルギーを輸送する」に相当）と、電気二重層コンデンサ３４１の電圧は低下してゆき、チャージを継続することはできなくなるから、所定の時点でエネルギーの輸送を終了する必要が生じるものといえる。
　所定の時点でエネルギーの輸送を終了することは、例えば、引用例２には「コンデンサ３（「第1のエネルギー蓄積デバイス」に相当）の端子電圧ＶＣ（「充電レベル」に相当）が所定の第２の電圧Ｖ２（Ｖ２＜Ｖ１）を下まわる（「第1の閾値レベル未満に降下」に相当）と、発振回路５の発振が停止し、コンデンサ３からバッテリ１１（「第2のエネルギー蓄積デバイス」に相当）への電力の移送が停止する（「エネルギーの輸送を終了する」に相当）」ことが記載され、また、引用例３には「電気二重層キャパシタ５（「第1のエネルギー蓄積デバイス」に相当）の充電電圧Ｖｅｄｌｃ（「充電レベル」に相当）が降下して閾値電圧ＶＬに到達する（「第1の閾値レベル未満に降下」に相当）と、ゲートスイッチ８２がオフ状態となり、リチウムイオン二次電池９２（「第2のエネルギー蓄積デバイス」に相当）への充電動作が停止する（「エネルギーの輸送を終了する」に相当）」ことが記載されているように、周知の技術である。
　したがって、引用発明に、引用例２、３に記載されているような周知の技術を適用することで、本願発明の「第1のエネルギー蓄積デバイスの充電レベルが第1の閾値レベル未満に降下すると、前記第1のエネルギー蓄積デバイスから前記第2のエネルギー蓄積デバイスへのエネルギーの輸送を終了するための手段」を備えるものとすることは、当業者が容易に想到し得たものである。
　そして、本願発明の作用効果も、引用発明及び引用例２、３に記載される技術に基いて当業者が予測できる範囲のものである。
　したがって、本願発明は、引用発明及び引用例２、３に記載される技術に基いて当業者が容易に発明をすることができたものであるから、特許法第２９条第２項の規定により特許を受けることができない。
（５）むすび 
　したがって、請求項１−２９の記載は、特許法第３６条第６項第２号に規定する要件を満たしておらず、発明の詳細な説明の記載は、特許法第３６条第４項第１号に規定する要件を満たしていない。
　また、請求項１０に係る発明は、引用発明及び引用例２、３に記載される技術に基いて当業者が容易に発明をすることができたものであるから、特許法第２９条第２項の規定により特許を受けることができない。
　そうすると、本願を拒絶すべきであるとした原査定は維持すべきである。
　よって、結論のとおり審決する。